(57)【要約】      （修正有）【課題】少なくとも１つの第１通信デバイスと第２通信デバイスが、異なる位置にステアリングすることができるよう適応されたナロービームアンテナを設けた。【解決手段】それぞれの異なる位置が、前記第１通信デバイスから前記第２通信デバイスへの複数の異なる伝送経路の１つに対応しており、前記ナロービームアンテナが、現在の伝送経路に対応する現在の位置にあるとき、現在の伝送経路のチャネル品質の評価を可能とするプリアンブル情報から構成される第１プリアンブルセクションを送受信するステップと、前記ナロービームアンテナを、前記の現在の位置から、候補伝送経路に対応する異なる位置にステアリングするステップと、前記ナロービームアンテナが、前記の異なる位置にあるとき、前記候補伝送経路のチャネル品質の評価を可能とするプリアンブル情報から構成される第２プリアンブルセクションを送受信するステップから成り立っている。【選択図】図７
2008167405.tif 000002
【特許請求の範囲】
【請求項１】
無線通信システム内で信号を伝送する方法であり、
本方法において、信号は、第１通信デバイスから第２通信デバイスに伝送され、
前記信号は、連続したフレーム内で伝送され、
それぞれのフレームは、プリアンブル情報から構成されるプリアンブルセクションを持っており、
少なくとも１つの前記第１通信デバイスと前記第２通信デバイスが、異なる位置にステアリングすることができるよう適応されたナロービームアンテナを持ち、
それぞれの前記の異なる位置が、前記第１通信デバイスから前記第２通信デバイスへの複数の異なる伝送経路の１つに対応しており、
本方法のステップが、
前記ナロービームアンテナが、現在の伝送経路に対応する現在の位置にあるとき、
現在の伝送経路のチャネル品質の評価を可能とするプリアンブル情報から構成される第１プリアンブルセクションを送受信するステップと、
前記ナロービームアンテナを、前記の現在の位置から、候補伝送経路に対応する異なる位置にステアリングするステップと、
前記ナロービームアンテナが、前期の異なる位置にあるとき、
前記候補伝送経路のチャネル品質の評価を可能とするプリアンブル情報から構成される第２プリアンブルセクションを送受信するステップから成り立っている
ことを特徴とする、無線通信システム内で信号を伝送する方法。
【請求項２】
少なくともいくつかの前記フレームが、第１プリアンブルセクションと第２プリアンブルセクションとから構成されていることを特徴とする、請求項１に記載の方法。
【請求項３】
全てのフレームが、第１プリアンブルセクションと第２プリアンブルセクションとから構成されていることを特徴とする、請求項１または２に記載の方法。
【請求項４】
前記第１プリアンブルセクションおよび前記第２プリアンブルセクションが、異なるフレーム内で伝送されることを特徴とする、請求項１に記載の方法。
【請求項５】
第１プリアンブルセクションから構成される伝送されるフレーム数に関して、第２プリアンブルセクションから構成される伝送されるフレーム数が、現在の伝送経路に関する、検出されたチャネル品質に依存して変更されることを特徴とする、請求項４に記載の方法。
【請求項６】
第１プリアンブルセクションから構成される伝送されるフレーム数に関して、第２プリアンブルセクションから構成される伝送されるフレーム数が、第１通信デバイス、および／または第２通信デバイスに関する、検出された移動情報に依存して変更されることを特徴とする、請求項４または５に記載の方法。
【請求項７】
第２プリアンブルセクションから構成されるそれぞれのフレームの後に、第１プリアンブルセクションから構成される標準的に伝送されるフレームに比べて長いフレーム長を持つ、第１プリアンブルセクションから構成されるフレームが伝送されることを特徴とする、請求項４または５または６に記載の方法。
【請求項８】
第１プリアンブルセクションと第２プリアンブルセクションが、互いに異なることを特徴とする、請求項４〜７に記載のいずれかの方法。
【請求項９】
無線通信システム内で信号を伝送する伝送デバイス（１）であり、
前記デバイスにおいて、前記信号が、連続したフレーム内で伝送され、
それぞれのフレームは、プリアンブル情報を持つプリアンブルセクションを持っており、
異なる位置にステアリングすることができるよう適応されたナロービームアンテナ（２）から構成されており、
それぞれの前記の異なる位置が、前記伝送デバイスから受信デバイスへの複数の異なる伝送経路の１つに対応しており、
ステアリング手段（４）は、前記ナロービームアンテナ（２）を異なる位置にステアリングするように適応されており、
プリアンブル発生手段（９）は、プリアンブル情報から構成されるプリアンブルセクションを発生させるように適応されており、
制御手段（５）は、前記ナロービームアンテナ（２）が、前記の現在の伝送経路に対応する現在の位置にあるとき、現在の伝送経路のチャネル品質の評価を可能とするプリアンブル情報から構成される第１プリアンブルセクションの伝送を制御するよう適応されており、
さらに、前記ナロービームアンテナ（２）が、候補伝送経路に対応する異なる位置にステアリングされた後に、前記候補伝送経路のチャネル品質の評価を可能とするプリアンブル情報から構成される第２プリアンブルセクションの伝送を制御するよう適応されている
ことを特徴とする、無線通信システム内で信号を伝送する伝送デバイス（１）。
【請求項１０】
前記制御手段（５）が、第１プリアンブルセクションおよび第２プリアンブルセクションから構成されている少なくともいくつかのフレームの伝送を制御するよう適応されていることを特徴とする、請求項９に記載の伝送デバイス（１）。
【請求項１１】
前記制御手段（５）が、全てのフレームが第１プリアンブルセクションおよび第２プリアンブルセクションから構成されている信号の伝送を制御するよう適応されていることを特徴とする、請求項９または１０に記載の伝送デバイス（１）。
【請求項１２】
前記制御手段（５）が、前記第１プリアンブルセクションおよび前記第２プリアンブルセクションが、異なるフレーム内で伝送される信号の伝送を制御するよう適応されていることを特徴とする、請求項１０に記載の伝送デバイス（１）。
【請求項１３】
前記制御手段（５）が、第１プリアンブルセクションから構成されるフレーム数に関して、第２プリアンブルセクションから構成されるフレーム数を、現在の伝送経路に関して検出されたチャネル品質に依存して変更するように適応されていることを特徴とする、請求項１２に記載の伝送デバイス（１）。
【請求項１４】
前記制御手段（５）が、第１プリアンブルセクションから構成される伝送されるフレーム数に関して、第２プリアンブルセクションから構成される伝送されるフレーム数を、伝送デバイス、および／または受信デバイスに関して検出された移動情報に依存して変更するように適応されていることを特徴とする、請求項１２または１３に記載の伝送デバイス（１）。
【請求項１５】
前記制御手段（５）が、第２プリアンブルセクションから構成されるそれぞれのフレームの後に、第１プリアンブルセクションから構成される標準的に伝送されるフレームに比べて長いフレーム長を持つ、第１プリアンブルセクションから構成されるフレームが伝送されるように、信号の伝送を制御するように適応されていることを特徴とする、請求項１２または１３または１４に記載の伝送デバイス（１）。
【請求項１６】
第１プリアンブルセクションと第２プリアンブルセクションが、互いに異なることを特徴とする、請求項１２〜１５に記載のいずれかの伝送デバイス（１）。
【請求項１７】
無線通信システム内で信号を受信する受信デバイス（１０）であり、
前記デバイスにおいて、前記信号が、連続したフレーム内で送受信され、
それぞれのフレームは、プリアンブル情報を持つプリアンブルセクションを持っており、
異なる位置にステアリングすることができるよう適応されたナロービームアンテナ（１１）から構成されており、
それぞれの前記の異なる位置が、伝送デバイスから前記受信デバイスへの複数の異なる伝送経路の１つに対応しており、
ステアリング手段（１３）は、前記ナロービームアンテナ（１１）を異なる位置にステアリングするように適応されており、
チャネル評価手段（１６）は、受信されたプリアンブル情報に基づいてチャネル品質を評価するよう適応されており、
制御手段（１４）は、前記ナロービームアンテナ（１１）が、前記の現在の伝送経路に対応する現在の位置にあるとき、現在の伝送経路のチャネル品質の評価を可能とするプリアンブル情報から構成される第１プリアンブルセクションの受信を制御するよう適応されており、
さらに、前記ナロービームアンテナ（１１）が、候補伝送経路に対応する異なる位置にステアリングされた後に、前記候補伝送経路のチャネル品質の評価を可能とするプリアンブル情報から構成される第２プリアンブルセクションの受信を制御するよう適応されている
ことを特徴とする、無線通信システム内で信号を受信する受信デバイス（１０）。
【請求項１８】
前記制御手段（１４）が、第１プリアンブルセクションおよび第２プリアンブルセクションから構成されている少なくともいくつかのフレームの受信を制御するよう適応されていることを特徴とする、請求項１７に記載の受信デバイス（１０）。
【請求項１９】
前記制御手段（１４）が、全てのフレームが第１プリアンブルセクションおよび第２プリアンブルセクションから構成されている信号の受信を制御するよう適応されていることを特徴とする、請求項１７または１８に記載の受信デバイス（１０）。
【請求項２０】
前記制御手段（１４）が、前記第１プリアンブルセクションおよび前記第２プリアンブルセクションが、異なるフレーム内で伝送される信号の受信を制御するよう適応されていることを特徴とする、請求項１７に記載の受信デバイス（１０）。
【請求項２１】
前記制御手段（１４）が、第１プリアンブルセクションから構成されるフレーム数に関して、第２プリアンブルセクションから構成されるフレーム数が、現在の伝送経路に関して検出されたチャネル品質に依存して変更される信号の受信を制御するよう適応されていることを特徴とする、請求項２０に記載の受信デバイス（１０）。
【請求項２２】
前記制御手段（１４）が、第１プリアンブルセクションから構成される伝送されるフレーム数に関して、第２プリアンブルセクションから構成される伝送されるフレーム数が、第１通信デバイス、および／または第２通信デバイスに関して検出された移動情報に依存して変更される信号の受信を制御するよう適応されていることを特徴とする、請求項２０または２１に記載の受信デバイス（１０）。
【請求項２３】
前記制御手段（１４）が、第２プリアンブルセクションから構成されるそれぞれのフレームの後に、第１プリアンブルセクションから構成される標準的に伝送されるフレームに比べて長いフレーム長を持つ、第１プリアンブルセクションから構成されるフレームが受信されるように、信号の受信を制御するように適応されている
ことを特徴とする、請求項２０または２１または２２に記載の受信デバイス（１０）。
【請求項２４】
制御手段が、互いに異なる第１プリアンブルセクションと第２プリアンブルセクションの受信を制御するように適応されていることを特徴とする、請求項２０〜２３に記載のいずれかの受信デバイス（１０）。
【発明の詳細な説明】
【技術分野】
【０００１】
本発明は、少なくとも１つのステアリング可能なナロービームアンテナ（ｎａｒｒｏｅ  ｂｅａｍ  ａｎｔｅｎｎａ）を用いて信号を受信し、高速なデータレートの伝送を可能とする特別なフレーム構造によって、無線通信システム内で信号を受信する受信デバイスと、無線通信システム内で信号を伝送する方法とデバイスとに関する。
【背景技術】
【０００２】
無線通信は、様々な技術分野で使用されており、携帯電話、無線ＬＡＮ、トランシーバー、ブロードキャストラジオシステム、２地点間ラジオシステム、およびその他多くの既知の、あるいは未来のアプリケーションなどの例がある。それぞれの無線通信システムによってカバーされる半径は、基本的に、利用されている技術に依存する。ＧＳＭやＵＭＴＳシステムのようなセルラー方式（ｃｅｌｌｕｌａｒ  ｃｏｍｍｕｎｉｃａｔｉｏｎ  ｓｙｓｔｅｍ）は、約１０Ｋｍ（あるいはそれ以上）までの通信半径に適応するのに対し、無線ＬＡＮは、約１００ｍ（あるいはそれ以上）の範囲、ブルートゥース（Ｂｌｕｅｔｏｏｔｈ）システムでは数十ｍ（あるいはそれ以上）の範囲に適応する。無線通信システムの通信範囲に大きく影響するのは、利用されている無線周波数と出力電力である。大気中では、ＧＳＭやＵＭＴＳに利用される無線周波数においては、電磁波の吸収はわずかしか起こらないが、低域および屋内無線通信に非常に適した６０ＧＨｚにおいては、著しい吸収が起こる。さらに、それぞれの無線通信技術に利用される送受信アンテナの種類は、それぞれのアプリケーションの分野に依存して変わる。例えば、もし複数の受信者数に届ける必要がある場合か、または、もし受信者の位置が分からない、あるいは、例えば移動によって頻繁に変わる場合は、ワイドビームアンテナ（ｗｉｄｅ  ｂｅａｍ  ａｎｔｅｎｎａ）、または全方位アンテナ（ｏｍｎｉ−ｄｉｒｅｃｔｉｏｎａｌ  ａｎｔｅｎｎａ）が、時々利用される。しかし、高速なデータレートのミリ波無線通信では、マルチパスフェージング効果（ｍｕｌｔｉ‐ｐａｔｈ  ｆａｄｉｎｇ  ｅｆｆｅｃｔ）が原因で、ワイドビームアンテナの利用には問題がある。例えば、ワイドビームアンテナが、伝送者と受信者の両側で利用されており、直接見通し通信（ＬＯＳ：ｌｉｎｅ  ｏｆ  ｓｉｇｈｔ）経路が、障害物、例えば移動している人間や車両のようなもの、によって妨害された場合、伝送者と受信者との間には、多数の反射経路が存在する。反射経路は、すなわち、伝送された電磁波が、受信者に届く前に少なくとも１回物体（ｏｂｊｅｃｔ）によって反射された伝送経路である。データレートが高速である、例えば、１Ｇｂｐｓを超える場合は、そのことが、重度の周波数選択性フェージングが原因となるサービスの符号間干渉を招き、チャネル遅延拡散（ｃｈａｎｎｅｌ  ｄｅｌａｙ  ｓｐｒｅａｄ）は、数十のシンボル期間（ｓｙｍｂｏｌ  ｐｅｒｉｏｄ）に渡る。
【発明の開示】
【発明が解決しようとする課題】
【０００３】
見通し外通信（ＮＬＯＳ：ｎｏｎ  ｌｉｎｅ  ｏｆ  ｓｉｇｈｔ）のような場合に対して、２つの従来解決方法が存在する。それら２つの解決方法は、両方とも、高速で複雑な信号処理回路を必要とする。１つの解決方法は、線形等化器または判定帰還形等化器または最尤系列推定（ＭＬＳＥ：ｍａｘｉｍｕｍ  ｌｉｋｅｌｉｈｏｏｄ  ｓｅｑｕｅｎｃｅ  ｅｓｔｉｍａｔｉｏｎ）等化器を含むチャネル等化器を採用している。チャネル遅延拡散が、符号の継続期間より非常に長ければ、等化器は複雑になり、多くの処理能力を必要とする。もう１つの解決方法は、直交周波数分割多重方式（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）技術であり、すでに無線ＬＡＮシステムに採用されている。しかし、特有の直線変調と平均比に対する高いピークの問題が原因で、そのようなシステムの電力増幅器（ＰＡ：ｐｏｗｅｒ  ａｍｐｌｉｆｉｅｒ）の電力消費量は非常に高い。１Ｇｂｐｓの信号の復調には、明らかに、ハイスピードな高速フーリエ変換と他の信号処理モジュールとが必要とされる。それゆえ、高速なデータレートのミリ波領域通信システムに関して、複雑で高速なベースバンド電気回路を必要としない、他の解決方法を見つけることは重要である。
【課題を解決するための手段】
【０００４】
上記の課題は、請求項１に記載の、無線通信システム内で信号を伝送する方法、請求項９に記載の、無線通信システム内で信号を伝送する伝送デバイス、および請求項１７に記載の、無線通信システム内で信号を受信する受信デバイスによって解決される。
【０００５】
本発明に従った方法は、無線通信システム内で信号を伝送する方法であり、本方法において、信号は、第１通信デバイスから第２通信デバイスに伝送され、前記信号は、連続したフレーム内で伝送され、それぞれのフレームは、プリアンブル情報から構成されるプリアンブルセクションを持っており、少なくとも１つの前記第１通信デバイスと前記第２通信デバイスが、異なる位置にステアリングすることができるよう適応されたナロービームアンテナを持ち、それぞれの前記の異なる位置が、前記第１通信デバイスから前記第２通信デバイスへの複数の異なる伝送経路の１つに対応しており、本方法のステップが、前記ナロービームアンテナが、現在の伝送経路に対応する現在の位置にあるとき、現在の伝送経路のチャネル品質の評価を可能とするプリアンブル情報から構成される第１プリアンブルセクションを送受信するステップと、前記ナロービームアンテナを、前記の現在の位置から、候補伝送経路に対応する異なる位置にステアリングするステップと、前記ナロービームアンテナが、前期の異なる位置にあるとき、前記候補伝送経路のチャネル品質の評価を可能とするプリアンブル情報から構成される第２プリアンブルセクションを送受信するステップから成り立っている。
【０００６】
少なくともいくつかの前記フレームが、第１プリアンブルセクションと第２プリアンブルセクションとから構成されていることが好ましい。更に好適には、全てのフレームが、第１プリアンブルセクションと第２プリアンブルセクションとから構成されている。別の実施形態においては、前記第１プリアンブルセクションおよび前記第２プリアンブルセクションが、異なるフレーム内で伝送される。ここで、第１プリアンブルセクションから構成される伝送されるフレーム数に関して、第２プリアンブルセクションから構成される伝送されるフレーム数が、現在の伝送経路に関する、検出されたチャネル品質に依存して変更される。更に好適には、第１プリアンブルセクションから構成される伝送されるフレーム数に関して、第２プリアンブルセクションから構成される伝送されるフレーム数が、第１通信デバイス、および／または第２通信デバイスに関する、検出された移動情報に依存して変更される。更に好適には、第２プリアンブルセクションから構成されるそれぞれのフレームの後に、第１プリアンブルセクションから構成される標準的に伝送されるフレームに比べて長いフレーム長を持つ、第１プリアンブルセクションから構成されるフレームが伝送される。更に好適には、第１プリアンブルセクションと第２プリアンブルセクションが、互いに異なる。
【０００７】
本発明に従った伝送デバイスは、無線通信システム内で信号を伝送する伝送デバイスであり、前記デバイスにおいて、前記信号が、連続したフレーム内で伝送され、それぞれのフレームは、プリアンブル情報を持つプリアンブルセクションを持っており、異なる位置にステアリングすることができるよう適応されたナロービームアンテナから構成されており、それぞれの前記の異なる位置が、前記伝送デバイスから受信デバイスへの複数の異なる伝送経路の１つに対応しており、ステアリング手段は、前記アンテナを異なる位置にステアリングするように適応されており、プリアンブル発生手段は、プリアンブル情報から構成されるプリアンブルセクションを発生させるように適応されており、制御手段は、前記ナロービームアンテナが、前記の現在の伝送経路に対応する現在の位置にあるとき、現在の伝送経路のチャネル品質の評価を可能とするプリアンブル情報から構成される第１プリアンブルセクションの伝送を制御するよう適応されており、さらに、前記ナロービームアンテナが、候補伝送経路に対応する異なる位置にステアリングされた後に、前記候補伝送経路のチャネル品質の評価を可能とするプリアンブル情報から構成される第２プリアンブルセクションの伝送を制御するよう適応されている。
【０００８】
前記制御手段は、第１プリアンブルセクションおよび第２プリアンブルセクションから構成されている少なくともいくつかのフレームの伝送を制御するよう適応されていることが好ましい。更に好適には、前記制御手段が、全てのフレームが第１プリアンブルセクションおよび第２プリアンブルセクションから構成されている信号の伝送を制御するよう適応されている。別の実施形態においては、前記制御手段が、前記第１プリアンブルセクションおよび前記第２プリアンブルセクションが、異なるフレーム内で伝送される信号の伝送を制御するよう適応されている。ここで、前記制御手段が、第１プリアンブルセクションから構成されるフレーム数に関して、第２プリアンブルセクションから構成されるフレーム数を、現在の伝送経路に関して検出されたチャネル品質に依存して変更するように適応されていることが好ましい。更に好適には、前記制御手段が、第１プリアンブルセクションから構成される伝送されるフレーム数に関して、第２プリアンブルセクションから構成される伝送されるフレーム数を、伝送デバイス、および／または受信デバイスに関して検出された移動情報に依存して変更するように適応されている。ここで、前記制御手段が、第２プリアンブルセクションから構成されるそれぞれのフレームの後に、第１プリアンブルセクションから構成される標準的に伝送されるフレームに比べて長いフレーム長を持つ、第１プリアンブルセクションから構成されるフレームが伝送されるように、信号の伝送を制御するように適応されていることが好ましい。第１プリアンブルセクションと第２プリアンブルセクションは、互いに異なることが好ましい。
【０００９】
本発明に従った受信デバイスは、無線通信システム内で信号を受信する受信デバイスであり、前記デバイスにおいて、前記信号が、連続したフレーム内で送受信され、それぞれのフレームは、プリアンブル情報を持つプリアンブルセクションを持っており、異なる位置にステアリングすることができるよう適応されたナロービームアンテナから構成されており、それぞれの前記の異なる位置が、伝送デバイスから受信デバイスへの複数の異なる伝送経路の１つに対応しており、ステアリング手段は、前記アンテナを異なる位置にステアリングするように適応されており、チャネル評価手段は、受信されたプリアンブル情報に基づいてチャネル品質を評価するよう適応されており、制御手段は、前記ナロービームアンテナが、前記の現在の伝送経路に対応する現在の位置にあるとき、現在の伝送経路のチャネル品質の評価を可能とするプリアンブル情報から構成される第１プリアンブルセクションの受信を制御するよう適応されており、さらに、前記ナロービームアンテナが、候補伝送経路に対応する異なる位置にステアリングされた後に、前記候補伝送経路のチャネル品質の評価を可能とするプリアンブル情報から構成される第２プリアンブルセクションの受信を制御するよう適応されている。
【００１０】
前記制御手段は、第１プリアンブルセクションおよび第２プリアンブルセクションから構成されている少なくともいくつかのフレームの受信を制御するよう適応されていることが好ましい。ここで、前記制御手段は、全てのフレームが第１プリアンブルセクションおよび第２プリアンブルセクションから構成されている信号の受信を制御するよう適応されていることが好ましい。別の実施形態においては、前記制御手段が、前記第１プリアンブルセクションおよび前記第２プリアンブルセクションが、異なるフレーム内で伝送される信号の受信を制御するよう適応されていることが好ましい。ここで、前記制御手段が、第１プリアンブルセクションから構成されるフレーム数に関して、第２プリアンブルセクションから構成されるフレーム数が、現在の伝送経路に関して検出されたチャネル品質に依存して変更される信号の受信を制御するよう適応されていることが好ましい。ここで、前記制御手段が、第１プリアンブルセクションから構成される伝送されるフレーム数に関して、第２プリアンブルセクションから構成される伝送されるフレーム数が、第１通信デバイス、および／または第２通信デバイスに関して検出された移動情報に依存して変更される信号の受信を制御するよう適応されていることが好ましい。更に好適には、前記制御手段が、第２プリアンブルセクションから構成されるそれぞれのフレームの後に、第１プリアンブルセクションから構成される標準的に伝送されるフレームに比べて長いフレーム長を持つ、第１プリアンブルセクションから構成されるフレームが受信されるように、信号の受信を制御するように適応されている。更に好適には、制御手段が、互いに異なる第１プリアンブルセクションと第２プリアンブルセクションの受信を制御するように適応されている。
【発明の効果】
【００１１】
それゆえ、本発明は、複雑で高速な処理を必要としない、ミリ波長領域における高速なデータレートの無線通信に関する解決方法を提供する。特に、伝送データレートが高速であるとき、例えば１Ｇｂｐｓあるいはそれ以上の領域において、フレーム誤り率（ＦＥＲ：ｆｒａｍｅ  ｅｒｒｏｒ  ｒａｔｅ）の性能を同等のビット誤り率（ＢＥＲ：ｂｉｔ  ｅｒｒｏｒ  ｒａｔｅ）より低く保つために、フレーム長は短縮される。フレーム長が短くなる程、例えばプリアンブル情報の様な、ビームステアリングアルゴリズムに必要なオーバーヘッドは大きくなる。本発明は、異なるタイプのフレームの定義を含む新しいフレーム構造と、ナロービームアンテナのステアリングと高速なデータレートの両方を持つ無線データ通信を可能とするための、このような新しいタイプのフレームの組み合わせ方とを定義することによって、このオーバーヘッドを減らすことを可能とする。このような本発明の明確な利点は、ビームステアリングのために付加されるオーバーヘッドが少ないことと、フレーム誤り率の性能を同等のビット誤り率より低くなるよう改善するために、高速なデータレートの無線通信システムに関してフレーム長を短縮できることと、ビームステアリングの速度を動的に変化させ、増大することができることである。
【発明を実施するための最良の形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
本発明は、あらゆる種類の領域上で信号を伝送および受信することが可能な、あらゆる種類の無線通信システムに適応することができる点に注意すべきである。さらに、本発明は、いかなる種類の変調方式や無線通信の技術的実装にも限定されない。しかし、本発明のいくつかの実施形態と実装は、例えば６０Ｇｈｚの伝送領域のようなミリ波領域内で信号が伝送される、短距離および／または中距離無線通信システム内で利点がある。さらに、本発明の伝送デバイスおよび受信デバイスは、無線通信システム内で信号をそれぞれ伝送および受信するよう適応されたあらゆる種類のデバイスでありうる。“伝送デバイス”および“受信デバイス”という用語は、ここでは、移動できる、および／または固定されたあらゆる種類の通信装置、通信ユニット、通信手段、通信システムなどから構成されていることを意味している。本発明に従えば、伝送デバイスから受信デバイスに伝送される信号は、あらゆる理由と有効性のために伝送者から受信者に伝送される、あらゆる種類の情報、データ、符号などから構成されている。本発明によれば、伝送デバイスおよび受信デバイスの少なくとも１つは、異なる位置にステアリングされるよう適応されたナロービームアンテナから構成されている。いくつかの実装では、伝送デバイスと受信デバイスのそれぞれが、異なる位置にステアリングされるよう適応されたナロービームアンテナから構成されることが好適である場合がある。“ナロービームアンテナ”という用語は、ここでは、特定の送受信方向を持たない全方位アンテナと逆で、特定のアンテナビームの形に限定されず、特定の送受信方向を持つあらゆる種類のアンテナで構成され、カバーされていることを意味している。さらに、本発明のナロービームアンテは、どのような特定のステアリングタイプにも限定されない。特定のステアリングタイプとは、例えば、ナロービームアンテナの送受信方向が変更されたり、スイッチされたり、変化したりすると、異なる送受信位置にナロービームアンテナをステアリングまたはスイッチングすることを可能とする特定の技術的実装である。後述の例には限定されないが、例えば、本発明に従ったナロービームアンテナは、ビームの方向が変化したため、機械的に、あるいは電気的にアンテナをシフトすることによって変化させることが可能な、固定ナロービーム放射パターン（ｆｉｘｅｄ  ｎａｒｒｏｗ  ｂｅａｍ  ｒａｄｉａｔｉｏｎ  ｐａｔｔｅｒｎ）を伴うアンテナである場合がある。さらに、ナロービームアンテナは、ビームの方向が変化したため、アンテナの位相および／または利得（ｇａｉｎ）を変化させることによってステアリングされるタイプのアンテであることもある。さらに別の場合は、ナロービームアンテナは、アンテナパターンのそれぞれのアンテナ要素が特定のナロービームアンテナ方向を持っており、その要素が、アンテナのビーム方向が変更されるという方法によって制御されることが可能であるアンテナパターンから構成されている。ステアリング可能なナロービームアンテナについての、現在知られている、あるいは将来的に開発される、他の多くの例があるが、それらは、本発明の技術的な思考領域内に含まれるものである。
【００１４】
本発明は、添付図面に関する以下の好適な実施形態の記述においてさらに詳細に説明される。
【００１５】
図１は、本発明に従って無線通信システム内で信号を伝送する伝送デバイスの概略的なブロック図を示している。ここでは、図１に示された、本発明の一実施形態の伝送デバイス１は、本発明の理解と実装のために必要な要素のみが表示されている。伝送デバイス１が無線通信システム内で信号を伝送することを可能とするために必要な、他の全ての要素は、明確化の目的で示されていない。しかし、実用的な実装においては、全てのそのような必要な要素が実装される。
【００１６】
伝送デバイス１は、アンテナステアリング手段４の制御のもと、異なる位置にステアリングされるよう適応したナロービームアンテナ２から構成される。ここで、アンテナステアリング手段４自体は、制御手段５によって制御される。制御手段５は、伝送デバイス１または他のあらゆる適切な制御ユニットのベースバンド処理および／または制御手段でありうる。制御手段５は、データや情報やアプリケーションやソフトウェアコードなどを格納するメモリ６に接続されている。
【００１７】
伝送デバイス１は、連続した時間フレーム内で信号を伝送するよう適応されており、そこでは、それぞれのフレームは、プリアンブル情報から構成されるプリアンブルセクションを持つ。そのようなフレームの例は、図４と図５と図８とに示されている。伝送デバイス１によって伝送される複数の連続した時間フレームの例は、図６と図７と図９に示されている。ここでは、“連続した”という用語は、フレームが次々に直接接して伝送されることを必ずしも意味するのではないことを理解すべきである。いくつかの実装では、２つの連続したフレーム間には、間隔Ｔｇが存在する。間隔Ｔｇは、例えば、無線ハイビジョンやそれと同様なもののように、長時間にわたり高速なデータレートの無線通信を維持するために、伝送デバイス１と、図２で示され、説明される受信デバイス１０のような受信側との間のクロック差異（ｃｌｏｃｋ  ｄｉｆｆｅｒｅｎｃｅ）を処理するために利用される。以下の記述と説明においては、２つの連続した時間フレーム間の間隔Ｔｇは、ゼロと考えられている。図４に示される、本発明に従ったフレーム構造の第１実施形態においては、図４に示されているようなフレームは、Ｔｆの長さを持ち、プリアンブルセクションとデータセクションとから構成されている。プリアンブルセクションは、伝送デバイス１のプリアンブルセクションジェネレータ９によって発生させられ、そこでは、プリアンブルの発生は、周波数領域処理または時間領域処理のどちらにおいても起こる。さらに、プリアンブルセクションジェネレータ９によって発生させられたプリアンブルは、要求された実装に依存して異なる長さとサイズとを持つ。フレームは、フレームジェネレータ７によって形成され、フレームジェネレータ７は、プリアンブルセクションジェネレータ９からプリアンブルセクションを取得し、データ手段８からデータを取得する。データ手段８は、あらゆる適切な方法でデータを発生し、収集し、取得し、フレームジェネレータ７にエータを転送する。フレームジェネレータ７によってフレームが発生された後で、発生されたフレームは、さらに通常の手段で、例えばフレーム情報などを変調することによって処理され、その後で高周波数に変換され、ナロービームアンテナ２を通して高周波数手段３を経由して伝送される。
【００１８】
図４に示された第１実施形態のフレームのプリアンブルセクションは、本質的に４つの部分から構成されている。４つの部分とは、すなわち、ナロービームアンテナの方向の候補伝送路に合わせた調整と、時間と周波数同期とに関するトレーニングシーケンスＴｒと、受信者内でその候補経路に関するチャネル品質情報の評価を可能とするプリアンブルシーケンスＰｒと、ナロービームアンテナの方向の現在利用されている伝送経路に合わせた調整と、時間と周波数同期とに関するトレーニングシーケンスＴｃと、受信デバイス内のフレームタイミングに加えて、受信デバイス内で現在利用されている伝送経路に関するチャネル品質情報の評価を可能とするプリアンブルシーケンスＰｃのことである。
【００１９】
本発明に従って、無線通信システム内で信号を受信する受信デバイス１０の例は、図２のブロック図に概略的に示されている。
受信デバイス１０は、制御手段１４の制御のもと、アンテナステアリング手段１３によって、異なる位置にステアリングされるよう適応されたナロービームアンテナ１１から構成されている。制御手段１４は、受信デバイス１０のベースバンド処理手段や、その他のあらゆる適切な制御および／または処理デバイスなどの、あらゆる種類の適切な制御手段でありうる。メモリ手段１５は、受信デバイス１０の操作に必要な、データや情報やアプリケーションやソフトウェアプログラムなどを格納するよう適応されている。受信デバイス１０は、さらに、アンテナ１１を経由して受信された信号を低周波数に変換する高周波セクション１２から構成されている。アンテナ１１を経由して受信された信号は、その後さらに続けて受信デバイス１０において通常の方法で処理される。例えば、チャネルエスティメータ１６は、受信されたプリアンブル情報に基づいてチャネル評価を行うように適応されている。チャネルエスティメータ１６によって導かれたチャネル評価情報は、例えば、制御手段１４内でアンテナステアリング手段１３を経由してアンテナ１１を適切な位置にステアリングするために利用されることが可能である。図２には、本発明を理解するために必要な要素のみが示されていることを理解すべきである。実用的な実装においては、受信デバイス１０は、無線通信システム内で信号の受信を可能とする受信デバイス１０の操作に関する他の全ての必要な要素から構成される。さらに、受信デバイス１０は、加えて、アンテナ１１または離れた伝送アンテナのどちらを経由してでも、無線通信システム内で信号を伝送するために必要な全ての要素と機能性から構成されることが可能であることに注意すべきである。同様に、伝送デバイス１は、アンテナ２または離れた受信アンテナのどちらを経由してでも、無線通信システム内で信号を受信することを可能とするために必要な全ての要素と機能性から構成されることが可能である。さらに、図１に関して示され、説明された伝送デバイス１の要素と機能性と、図２に関して示され、説明された受信デバイス１０の要素と機能性とは、無線通信システム内で信号を伝送し、受信することが可能な通信デバイス１内に組み込まれることが可能である。
【００２０】
図３は、伝送デバイスのナロービームアンテナ２’と受信デバイスのナロービームアンテナ１１’との間の様々な伝送経路を概略的に示した説明図である。伝送しているナロービームアンテナ２’は、図１に示された伝送デバイス１のアンテナ２であるかもしれないし、受信しているナロービームアンテナ１１’は図２に示された受信デバイス１０のアンテナ１１であるかもしれない。しかし、伝送デバイスまたは受信デバイスさえステアリング可能なナロービームアンテナを持っていれば、他のデバイスはワイドビームアンテナまたは全方位アンテナを持っているだけで、本発明は機能することを理解すべきである。図３に示されているように、現在の伝送経路Ｐ０は、直接見通し通信伝送経路ではなく、電磁信号が物体によって１回反射された伝送経路である。アンテナ２’とアンテナ１１’との間の直接見通し通信伝送経路は、障害１７によって閉鎖されている。候補伝送経路、すなわちアンテナ２’とアンテナ１１’との間の可能な代替伝送経路は、伝送経路Ｐ１とＰ２とＰ３とＰ４に示されている。候補伝送経路Ｐ１とＰ３とＰ４とは、電磁信号が物体によって１回反射された伝送経路である。候補伝送経路Ｐ２は、電磁信号が物体上で２回反射された候補伝送経路である。しかし、候補伝送経路の全ての反射は、反射された電磁信号が受信アンテナ１１’に届く方法である。しかし、図３に示された例では、現在使用されている伝送経路Ｐ０は、例えば、ノイズ比に対して最も強い信号やその他の適切なパラメータなどのような、最もよいチャネル特性（best channel property）を持っており、それゆえ、伝送者と受信者の間でフレームを伝送するために現在使用されているのである。候補伝送経路Ｐ１とＰ２とＰ３とＰ４は、これらの候補伝送経路のチャネル品質が、現在使用されている１つの伝送経路Ｐ０ほど良くないことを示すために破線で示されている。しかし、現在使用されている伝送経路Ｐ０のチャネル品質が変化した場合、例えば、反射物体が移動した場合や、伝送経路が別の物体や移動が原因となった障害によって閉鎖された場合などには、候補伝送経路Ｐ１とＰ２とＰ３とＰ４のうちの１つが現在の伝送経路になることもある。
【００２１】
概して、図３は、通常、非常に少ない伝送経路のみが、伝送者と受信者との間の信号の伝送および受信を可能とする伝送品質を提供するということも視覚化している。全ての十分に強い伝送経路を検出して監視するためには、全ての有効であり可能な伝送経路を調査し、監視する必要がある。そうすることによって、伝送しているナロービームアンテナ２’と受信しているナロービームアンテナ１１’とは、多数の２次元の選択をすることができる。例えば、走査する範囲が１００度であり、シャープビームステアリングアンテナの半電波強度ビーム幅（ＨＰＢＷ：ｈａｌｆ  ｐｏｗｅｒ  ｂｅａｍ  ｗｉｄｔｈ）が２０度であれば、伝送側と受信側のそれぞれのサイドでの選択数は、５×５＝２５であり、伝送側と受信側に関する全選択数は２５×２５＝６２５である。結果として、計算の複雑性はかなり高くなる。
【００２２】
本発明の一実施形態は、もし現在使用されている伝送経路が悪化した場合には、異なる伝送経路にスイッチングすることができるように、ときどき候補伝送経路を監視し、調査しながら、現在の伝送経路上でフレームを転送する、非常に簡潔であるが洗練された効率的な方法を提案する。さらに、本発明の一実施形態は、チャネル品質の測定に関するオーバーヘッドを減少させ、速いビームステアリングアルゴリズムの実行を可能とする新しいフレーム構造を提案する。
【００２３】
前述のように、図４に示された本発明のフレーム構造の第１実施形態は、上述された構造を持つフレームを提案する。トレーニングシーケンスＴｒの間に、伝送デバイス１の制御手段５は、アンテナステアリング手段４に、現在使用されている伝送経路に対応する位置から候補伝送経路に対応する位置にアンテナ２をステアリングさせる。同じ時に、アンテナ１１が、候補伝送経路に対応する異なる位置にある間に、プリアンブルシーケンスＰｒと同様にトレーニングシーケンスＴｒが受信されるように、受信デバイス１０の制御手段１４は、アンテナステアリング手段１３に、同じ候補伝送経路に対応する位置にアンテナ１１をステアリングさせる。トレーニングシーケンスＴｒは、例えば、タイミングまたは搬送波再生に関して、候補伝送経路上で伝送デバイス１に受信デバイス１０を同期させることを可能とし、一方、プリアンブルシーケンスＰｒは、チャネルエスティメータ１６が候補伝送経路のチャネル品質情報を評価することを可能とする。プリアンブルシーケンスＰｒの伝送後に、伝送デバイス１のアンテナ２は現在使用されている伝送経路に対応する位置に戻される。プリアンブルシーケンスＰｒの受信後に、アンテナ１１は、現在の伝送経路に対応する位置に戻される。その後、現在使用されている伝送経路に関するトレーニングシーケンスＴｃは、伝送デバイス１から受信デバイス１０に伝送され、受信デバイス１０内で、現在使用されている伝送経路に関する同期、すなわちタイミングや搬送波再生を可能とする。その後で、プリアンブルシーケンスＰｃは伝送デバイス１から受信デバイス１０に伝送され、受信デバイス１０内でフレームタイミングを可能とするのと同様に、受信デバイス１０内でチャネルエスティメータ１６によって正確なチャネル品質情報の評価を可能とする。
【００２４】
ここで説明される本発明の全ての実施形態に関して、伝送デバイス１と受信デバイス１０は、伝送デバイス１と受信デバイス１０の両方が、ステアリング可能なナロービームアンテナから構成されている場合に使用される、個々の次の候補伝送経路について知っていなくてはいけないということは事実であり、理解されるべきことである。伝送デバイス１と受信デバイス１０の１つだけがステアリング可能なナロービームアンテナから構成されている場合には、前述のような知識は必ずしも必要ではないが、どの候補伝送チャネルがどんなチャネル品質を持っているかについて、いくつかのフィードバックを伝送デバイス１に行うためには必要となる場合がある。これによって、現在の伝送チャネルが断絶された場合に、最も良いチャネル品質を持つ候補伝送チャネルが選択され、現在の伝送チャネルとなり、アンテナ２と１１とが対応する位置にステアリングされるために、対応する情報は、例えば、受信デバイス１０のメモリ手段１５および／または伝送デバイス１のメモリ手段６内に格納される。
【００２５】
例えば１Ｇｂｐｓの領域内のように、データレートが高速となった場合、フレーム誤り率を改善するために、フレーム長Ｔｆあるいはフレームのデータ部分の長さは、図４に示された第１実施形態のフレーム長Ｔｆに比べて短縮される必要がある。例えば、ビット誤り率が１×１０−７であり、データレートが１Ｇｂｐｓであり、データ部分の長さが１０ｍｓであると仮定され、ランダム誤りが考慮された場合、それぞれのフレーム内のデータ数が１×１０７である（１０ｍｓが１Ｇｂｐｓのデータレートと乗算された）ことから、フレーム誤り率の性能は非常に悪い。しかし、もし、例えばデータ部分の長さが１０ｍｓから１００μｓに短縮された場合、それぞれのフレーム内のデータ数は１×１０５となり、フレーム誤り率は１パーセントより良くなる。トレーニングシーケンスＴｒとプリアンブルシーケンスＰｒとは固定であり、それらは実回路にのみ依存するため、それぞれのフレーム内でデータ部分の長さが短縮された場合には、データ部分に関してＴｒ＋Ｐｒによって取り込まれた相対的なオーバーヘッドは非常に高くなる。例えば、フレーム内のデータ部分の長さが１０ｍｓから１００μｓに変更されたときには、オーバーヘッドは、約１００倍に増加する。この問題を解決するために、図５に示された第２実施形態に従う新しい物理的なフレーム構造が提案される。この新しい物理的なフレームは、２つの異なるタイプの物理層フレームから構成されている。すなわち、トレーニングシーケンスＴｒとプリアンブルシーケンスＰｒのみから構成されるビームステアリングフレームに加えて、トレーニングシーケンスＴｃとプリアンブルシーケンスＰｃとデータセクションを持つプリアンブルセクションから構成されるデータフレームが提供される。トレーニングシーケンスＴｒとＴｃは、図４に関して示され、説明された、それぞれに対応するトレーニングシーケンスＴｒとＴｃとに、それらの特性と機能において等しい。同じことがプリアンブルシーケンスＰｒとＰｃについても事実であり、それらは、図４に関して示され、説明された、それぞれに対応するプリアンブルシーケンスＰｒとＰｃとに、それらの特性と機能において等しい。
【００２６】
トレーニングシーケンスＴｒとプリアンブルシーケンスＰｒのみから構成される、分離されたビームステアリングフレームを取り入れることによる結果として、ビームステアリングアルゴリズムの固定速度はデータフレームに関するフレーム誤り率に影響を与えない。図６に概略的に示されたように、ビームステアリングフレームによって取り入れられるオーバーヘッドが減少されるように、第２実施形態のデータフレームは、ビームステアリングフレームより頻繁に伝送されることが可能である。例えば、ビームステアリングフレームは、定期的な伝送の間で一定のデータフレーム数の後に伝送され、受信されることが可能である。しかし、現在使用されている伝送経路のチャネル品質が、受信デバイス１０のチャネルエスティメータ１６内で評価されたときに悪化した場合には、より良いチャネル品質を持つ候補伝送経路をすばやく見つけるために、ビームステアリングフレームの頻度は、増加させられる可能性がある。言い換えれば、伝送デバイス１から受信デバイス１０に伝送されるビームステアリングフレームの数は、現在使用されている伝送経路に関して受信デバイス内で評価されたチャネル品質に依存して適応される。現在使用されている伝送経路のチャネル品質が悪化した場合には、ビームステアリングフレームの数は増加させられる。代替として、または追加的に、データフレームに関するビームステアリングフレームの頻度は、伝送デバイス１および／または受信デバイス１０の追加的な特性および／またはパラメータ、または他のあらゆる適切なパラメータに基づいて、例えば、加速や回転などの１つのデバイスの移動のような、動的な調整が行われることが可能である。ビームステアリングフレームの伝送の頻度の増加に関する例は、図７において概略的に示される。
【００２７】
図８に示されているように、図５に関して示され、説明された第２の実施形態のデータフレームは、２つのタイプ、すなわち長いデータフレームと短いデータフレームから構成されている。図９に示されたように、本発明によれば、長いデータフレームは、ビームステアリングフレームが伝送され、受信された後で、直接接して伝送され、受信されることが提案される。そのほかのデータフレームは、短いデータフレームである。ここでは、長いデータフレームは、トレーニングシーケンスＴｃ（Ｌ）とプリアンブルシーケンスＰｃ（Ｌ）を持つプリアンブルセクションと、データセクションとから構成されている。トレーニングシーケンスＴｃ（Ｌ）は、現在使用されている伝送経路に関するトレーニングシーケンスであり、アンテナ２と１１と（および／または、さらに回路と）のスイッチングを可能とする機能を持っている。このスイッチングは、直接接して先行するビームステアリングフレームの候補伝送経路に対応する位置から現在使用されている伝送経路に対応する位置に戻すスイッチングである。また、トレーニングシーケンスＴｃ（Ｌ）は、受信デバイス１０内で、現在使用されている伝送経路に関する同期、すなわちタイミングと搬送波再生を可能とする機能を持っている。プリアンブルシーケンスＰｃ（Ｌ）は、受信デバイス１０におけるフレームタイミングの実現に加え、受信デバイス１０のチャネルエスティメータ１６内で、現在使用されている伝送経路に関する正確なチャネル品質情報を評価することを可能とする機能を持っている。短いデータフレームのトレーニングシーケンスＴｃ（Ｓ）は、受信デバイス１０内で、現在使用されている伝送経路に関する同期、すなわちタイミングまたは搬送波再生、を可能とする機能のみを持っている。そのため、Ｔｃ（Ｓ）の長さは、Ｔｃ（Ｌ）の長さよりも短い。受信デバイス１０の再同期が必ずしも必要でない場合には、Ｔｃ（Ｓ）は省略されることが可能である。プリアンブルシーケンスＰｃ（Ｓ）は、受信デバイス１０におけるフレームタイミングの実現に加え、受信デバイス１０のチャネルエスティメータ１６内で、正確なチャネル品質情報を評価することを可能とする機能を持っており、従って、プリアンブルシーケンスＰｃ（Ｌ）と同じ長さを持っている。長いデータフレームのデータ部分の長さと短いデータフレームのデータ部分の長さは同じである。
【００２８】
上記で述べられたように、長いデータフレーム中では、アンテナ（または他の回路）を候補伝送経路から現在使用されている伝送経路に戻す要求と、現在使用されている伝送経路の再同期の要求とに起因して、Ｔｃ（Ｌ）は、アンテナや他の回路のスイッチングを可能とする必要がないＴｃ（Ｓ）と比較して、相対的に長い。
図９に見られるように、ほとんどの場合、長いデータフレームの伝送ではなく、短いデータフレームの伝送のみが必要とされるため、Ｔｃのオーバーヘッドは劇的に減少する。受信デバイス１０がどのタイプのフレームが伝送され受信されたかを識別することを容易にするために、そして、受信デバイスがそれぞれのフレームの長さに適応することを可能とするために、長いデータフレームと短いデータフレームとビームステアリングデータフレームのプリアンブルシーケンスは、それぞれ有利なように異なっている。さらに、前述の第１および第２実施形態で説明された、様々なタイプのフレームは、シングルキャリアにおいても、ＯＦＤＭシステムのようなマルチキャリアにおいても伝送されることが可能である。
【００２９】
概して、本発明は少なくとも１つのステアリング可能なナロービームアンテナを用いて、無線通信システム内で信号を伝送および受信することを可能とし、少なくとも１つのナロービームアンテナの方向は、新しいフレーム構造を定義することによって、高速なデータレートの無線通信に関して、少ない制御オーバーヘッドと減少させられたフレーム長でステアリングされることが可能である。物理層の観点から見ると、第１実施形態では、候補伝送経路に加えて、現在使用されている伝送経路に関するチャネル評価を可能とする新しいフレーム構造が提案され、これに対して、第２実施形態では、二つの異なるタイプのフレーム、すなわちデータフレームとビームステアリングフレームとが提案されている。これによって、ビームステアリングに関するオーバーヘッドが減少される。更なるオーバーヘッドの減少は、第２実施形態において２つの異なるタイプのデータフレーム、すなわち長いデータフレームと短いデータフレームとを定義することによって達成される。
【００３０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００３１】
【図１】本発明に従った伝送デバイスを示した概略図である。
【図２】本発明に従った受信デバイスを示した概略図である。
【図３】伝送者と受信者との間の伝送経路の多様性を示した概略図である。
【図４】本発明に従ったフレームの第１実施形態を示した概略図である。
【図５】本発明に従ったフレームの第２実施形態を示した概略図である。
【図６】連続したフレーム内における第２実施形態の実装を示した概略図である。
【図７】連続した複数のフレーム内における第２実施形態の実装を示した概略図である。
【図８】第２実施形態に含まれる、さらなるフレームの変形を示した概要図である。
【図９】連続した複数のフレーム内における図８のフレームの実装を示した概要図である。
【符号の説明】
【００３２】
１      伝送デバイス
２      ナロービームアンテナ
２’    ナロービームアンテナ
４      ステアリング手段
５      制御手段
６      メモリ
７      フレームジェネレータ
８      データ手段
９      プリアンブル発生手段
１０    受信デバイス
１１    ナロービームアンテナ
１１’  ナロービームアンテナ
１２    高周波セクション
１３    アンテナステアリング手段
１４    制御手段
１５    メモリ手段
１６    チャネル評価手段
【図１】
2008167405.tif 000003
【図２】
2008167405.tif 000004
【図３】
2008167405.tif 000005
【図４】
2008167405.tif 000006
【図５】
2008167405.tif 000007
【図６】
2008167405.tif 000008
【図７】
2008167405.tif 000009
【図８】
2008167405.tif 000010
【図９】
2008167405.tif 000011